(57)【要約】【課題】オーディオ再生システム及び方法を提供することを課題とする。【解決手段】オーディオ再生システムは主にオーディオプレーヤー、コンバーター、及び、周波数変調受信機を備えたカーオーディオ機器からなる。該オーディオプレーヤーは複数のオーディオファイルを保存できる保存ユニット、及び、該周波数変調受信機の周波数変調のチャンネル周波数に基づいてチャンネル周波数の変換信号を生成する処理ユニットを備える。該コンバーターは該オーディオプレーヤー内の該複数のオーディオファイル、及び、該チャンネル周波数の変換信号に基づいて特定の周波数変調信号を生成し、また、該特定の周波数変調信号を無線方法で該周波数変調受信機へ送信し、且つ、該カーオーディオ機器が再生する。【選択図】図１
2011095703.tif 000002
【特許請求の範囲】
【請求項１】
オーディオ再生システムであって、
周波数変調受信機を備えるカーオーディオ機器と、
複数のオーディオファイルを保存できる保存ユニットと前記周波数変調受信機の１つの周波数変調のチャンネル周波数に基づいて１つのチャンネル周波数の変換信号を生成できる処理ユニットを備えるオーディオプレーヤー、及び、
前記オーディオプレーヤー内の前記複数のオーディオファイルと前記チャンネル周波数の変換信号に基づいて特定の周波数変調信号を生成し、且つ、前記特定の周波数変調信号を無線方法により前記周波数変調受信機へ送信し、以って、カーオーディオ機器を通じて再生するコンバーターとを、含むことを特徴とするオーディオ再生システム。
【請求項２】
前記コンバーターは、シガレットソケット、或いは、電池を介して給電させることを特徴とする請求項１に記載のオーディオ再生システム。
【請求項３】
前記コンバーターは、直接前記オーディオプレーヤーと接続し、且つ、該オーディオプレーヤーを介して給電されることを特徴とする請求項１に記載のオーディオ再生システム。
【請求項４】
前記オーディオプレーヤーと前記コンバーターの間に接続し、前記複数のオーディオファイルと前記チャンネル周波数の変換信号を前記オーディオプレーヤーから前記コンバーター内へ送信するためのケーブルを更に含むことを特徴とする請求項１に記載のオーディオ再生システム。
【請求項５】
前記複数オーディオファイル、及び、前記チャンネル周波数の変換信号を無線方法により前記オーディオプレーヤーから前記コンバーター内へ送信することを特徴とする請求項１に記載のオーディオ再生システム。
【請求項６】
前記複数のオーディオファイル、及び、前記チャンネル周波数の変換信号をブルートゥース、或いは、赤外線方法により前記オーディオプレーヤーから前記コンバーター内へ送信することを特徴とする請求項５に記載のオーディオ再生システム。
【請求項７】
前記コンバーターには、
前記オーディオプレーヤーから前記複数のオーディオファイルと前記チャンネル周波数の変換信号を受信すると共に前記特定の周波数変調信号を生成するコントロールユニット、及び、
前記特定の周波数変調信号を受信し、また、無線方法により前記特定の周波数変調信号を前記カーオーディオ機器へ送信する周波数変調送信機とを、含むことを特徴とする請求項１に記載のオーディオ再生システム。
【請求項８】
前記カーオーディオ機器の前記周波数変調受信機には、更に干渉のない前記周波数変調のチャンネル周波数をオートサーチするための空チャンネルサーチユニットを含むことを特徴とする請求項１に記載のオーディオ再生システム。
【請求項９】
オーディオ再生方法であって、前記方法には、
複数のオーディオファイルを保存できる保存ユニットを備えるオーディオプレーヤーを提供するステップと、
周波数変調受信機を備えるカーオーディオ機器を提供するステップと、
該周波数変調受信機の１つの周波数変調のチャンネル周波数に基づいて１つのチャンネル周波数の変換信号を生成するステップと、
該オーディオプレーヤー内の該複数オーディオファイルと該周波数変調のチャンネル周波数に基づいて特定の周波数変調信号を生成させるコンバーターを提供するステップと、
該特定の周波数変調信号を該カーオーディオ機器の該周波数変調受信機へ送信するステップ、及び、
該特定の周波数変調信号を該カーオーディオ機器により再生するステップとを、含むことを特徴とするオーディオ再生方法。
【請求項１０】
前記コンバーターは、シガレットソケット、或いは、電池を介して給電させることを特徴とする請求項９に記載のオーディオ再生方法。
【請求項１１】
前記コンバーターは、直接前記オーディオプレーヤーと接続し、且つ、該オーディオプレーヤーを介して給電されることを特徴とする請求項９に記載のオーディオ再生方法。
【請求項１２】
前記オーディオプレーヤーと前記コンバーターの間に接続するケーブルを提供するステップ、を更に含み、前記複数のオーディオファイルと前記チャンネル周波数の変換信号を前記オーディオプレーヤーから前記コンバーター内へ送信することに用いられることを特徴とする請求項９に記載のオーディオ再生方法。
【請求項１３】
前記複数オーディオファイル、及び、前記チャンネル周波数の変換信号を無線方法により前記オーディオプレーヤーから前記コンバーター内へ送信することを特徴とする請求項９に記載のオーディオ再生方法。
【請求項１４】
前記複数のオーディオファイル、及び、前記チャンネル周波数の変換信号をブルートゥース、或いは、赤外線方法により前記オーディオプレーヤーから前記コンバーター内へ送信することを特徴とする請求項１３に記載のオーディオ再生方法。
【請求項１５】
前記オーディオプレーヤー内の前記複数のオーディオファイルと前記周波数変調のチャンネル周波数に基づいて特定の周波数変調信号を発生させる前記コンバータを提供するステップには、更に
前記複数のオーディオファイルと前記チャンネル周波数の変換信号を受信するステップと、
前記複数のオーディオファイルがコントロールパケットであるか否かを判断するステップと、
前記チャンネル周波数の変換信号の分析と前記コンバーターの送信チャンネルを設定するステップ、及び、
前記複数のオーディオファイルと前記分析されたチャンネル周波数の変換信号に基づいて前記特定の周波数変調信号を生成するステップとを、含むことを特徴とする請求項９に記載のオーディオ再生方法。
【請求項１６】
干渉のない前記周波数変調のチャンネル周波数をオートサーチするステップを更に含むことを特徴とする請求項９に記載のオーディオ再生方法。
【発明の詳細な説明】
【技術分野】
【０００１】
本発明は、オーディオ再生システムに関し、特に、車内でオーディオ信号を再生できるオーディオ再生システム及びその方法に関する。
【背景技術】
【０００２】
近年、電子製品の発展は、益々軽薄短小へと向かい、一般消費者から好まれているフラッシュディスクもこのうち一例である。小型であることと大保存容量を備えているため、一般的なフロッピー（登録商標）ディスクをほぼ追い落とす形となった。またその他機能を結合することで、フラッシュディスクは録音、ラジオ信号の受信と再生及びＭＰ３オーディオファイルの再生等に用いられることができる。
【０００３】
カーオーディオシステムは通常ラジオ受信機とＣＤ或いはカセット式のプレーヤーを備えているが、非常に明らかであるのは、ＭＰ３フォーマットのオーディオファイルをカーオーディオシステムで直接再生することができないため、接続ケーブル１本を用意し、次に接続ケーブルをＭＰ３プレーヤーの出力側に接続してオーディオ信号を出力する必要がある。但し、ある種のカーオーディオシステムについて言うと、この接続ケーブルが適さないこともある。適合させたい場合、この接続ケーブルは電源線及び信号線を備え、各線をそれぞれ自動車メータパネルの異なる位置に接続しなければならない。全ての車両型式に適合するためには、この接続ケーブルの長さを非常に長くしなければならないが、接続ケーブルが運行操縦に支障を及ぼす場合、非常に容易に危険が生じてしまう。このため、この接続ケーブルは非常に不安全で、また必要とされない。
【０００４】
またＭＰ３、或いはＷＡＶオーディオファイルフォーマットを保存するコンバーターが開発されている。コンバーターは、シガレットソケットを利用して給電され、且つカーオーディオシステムを経由してその内部のオーディオファイルを再生できる。言い換えると、該コンバーターがＭＰ３、或いはＷＡＶフォーマットのオーディオファイルを周波数変調（ＦＭ）信号に変換した後、更に無線方法で周波数変調（ＦＭ）信号をカーオーディオシステムのラジオ受信機に送信してカーオーディオシステムが受信した周波数変調（ＦＭ）信号を再生できる。このシステムの再生方法を利用する際、不安全で不必要な接続ケーブルを使用することがない。ノイズ或いは信号干渉の無い特定周波数のチャンネルをサーチした後、利用者は該特定周波数のチャンネルに基づいてコンバーターが送信する周波数変調信号を調整でき、これにより、オーディオファイルが再生された音声は非常にクリアな品質となる。該コンバーターは、オーディオプレーヤー内に保存しているＭＰ３、ＷＡＶ或いはその他オーディオフォーマットのオーディオファイルを特定の周波数変調（ＦＭ）信号に変換するため、オーディオプレーヤー（ＭＰ３、ＷＡＶ或いはその他オーディオフォーマットを再生できるプレーヤーを含む）と接続できる。これにより、カーオーディオシステムは、オーディオプレーヤー内のオーディオファイルを再生できる。
【０００５】
しかしながら、該コンバーターには周波数変調のチャンネルを表示するための液晶表示部と、周波数変調のチャンネルを調整するための複数ボタン及びオーディオファイルを保存するためのメモリとを含むため、その製造コストは非常に高い。
【０００６】
上記の問題を解決するため、一部のオーディオプレーヤーがオーディオプレーヤー内に保存するＭＰ３、ＷＡＶ或いはその他オーディオフォーマットのオーディオファイルを特定の周波数変調信号に変換してからこの特定の周波数変調信号を無線方法で送り出すための周波数変調の処理器を内蔵するように設計した。これにより、カーオーディオシステムは直接オーディオプレーヤーから発せられた特定の周波数変調信号を再生でき、コンバーターを通じる必要が無くなった。コンバーターが必要とされないとしても周波数変調の処理器を各オーディオプレーヤーに内蔵することはオーディオプレーヤーの生産コストを高くすることとなった。
【０００７】
このため、如何にして生産コストを高くしないという前提のもとで、ＭＰ３、ＷＡＶ或いはその他オーディオフォーマットのオーディオファイルを特定の周波数変調信号に変換でき、またこの特定の周波数変調信号を無線方法でカーオーディオシステムのコンバーターに送信できるかが、意味のある考え方である。
【発明の概要】
【発明が解決しようとする課題】
【０００８】
これにより、本発明は、製造コストを削減する効果を実現できるオーディオ再生システム及びその方法を提供することを目的とする。
【課題を解決するための手段】
【０００９】
上記の目的を達成するため、本発明の技術を次のように実現していく。
【００１０】
オーディオ再生システムであって、該システムは主にオーディオプレーヤー、コンバーター及び周波数変調受信機を備えたカーオーディオ機器からなる。該オーディオプレーヤーは複数のオーディオファイルを保存できる保存ユニット及び該周波数変調受信機の周波数変調のチャンネル周波数に基づいてチャンネル周波数の変換信号を生成する処理ユニットを備える。該コンバーターは該オーディオプレーヤー内の該複数のオーディオファイル及び該チャンネル周波数の変換信号に基づいて特定の周波数変調信号を生成し、また該特定の周波数変調信号を無線方法で該周波数変調受信機へ送信し、且つ該カーオーディオ機器が再生する。
【００１１】
本発明の別の実施例は、オーディオ再生方法を提供することであり、該方法には複数のオーディオファイルを保存できる保存ユニットを備えるオーディオプレーヤーを提供するステップと、周波数変調受信機を備えるカーオーディオ機器を提供するステップと、該周波数変調受信機の１つの周波数変調のチャンネル周波数に基づいて１つのチャンネル周波数の変換信号を生成するステップと、該オーディオプレーヤー内の該複数オーディオファイルと該周波数変調のチャンネル周波数に基づいて特定の周波数変調信号を生成させるコンバーターを提供するステップと、該特定の周波数変調信号を該カーオーディオ機器の該周波数変調受信機へ送信するステップ、及び該特定の周波数変調信号を該カーオーディオ機器により再生するステップとを含む。
【発明の効果】
【００１２】
本発明は、製造コストの削減効果を実現できるオーディオ再生システム及びその方法を提供することができる。
【図面の簡単な説明】
【００１３】
【図１】本発明のオーディオ再生システムのシステムブロック図である。
【図２】本発明のオーディオプレーヤーの操作を示す図である。
【図３】本発明のオーディオプレーヤーの別の操作を示す図である。
【図４】本発明のコンバーターのブロック図である。
【図５】本発明のオーディオ再生方法の再生フローチャートである。
【図６】本発明のオーディオ再生方法の別の再生フローチャートである。
【発明を実施するための形態】
【００１４】
図１を参照にしながら説明する。図１は、本発明のオーディオ再生システムのシステムブロック図である。
図に示すように、本発明のオーディオ再生システム１０は主にオーディオプレーヤー１１、コンバーター１２及び周波数変調受信機１３１を備えるカーオーディオ機器１３からなる。
該オーディオプレーヤー１１は複数のオーディオファイルを保存できる保存ユニット１１１及び該周波数変調受信機１３１の周波数変調のチャンネル周波数に基づいてチャンネル周波数の変換信号を生成する処理ユニット１１２を有する。
つまり利用者がカーオーディオ機器１３によりオーディオプレーヤー１１内に保存しているオーディオファイルを再生したい場合、利用者はまず周波数変調受信機１３１を調整すると共に１つの任意のノイズ或いは干渉の無い周波数変調のチャンネル周波数、例えばＦＭ１０８．７を見つけ出し、その後利用者がオーディオプレーヤー１１内において再生したいオーディオファイル及びチャンネル周波数の変換信号（ＦＭ１０８．７）を選択できる。
チャンネル周波数の変換信号（ＦＭ１０８．７）は周波数変調のチャンネル周波数に基づき処理ユニット１１２を通じて生成するものであり、もしも該チャンネル周波数（ＦＭ１０８．７）がその他のオーディオに干渉された場合、利用者はカーオーディオ機器１３の周波数変調受信機１３１において改めて１つの任意のノイズ或いは干渉の無い周波数変調のチャンネル周波数、例えばＦＭ９１．１を見つけ出し、またオーディオの干渉を軽減するため、改めてオーディオプレーヤー１１のチャンネル周波数の変換信号を調整（設定）し直すことができる。
【００１５】
該コンバーター１２は、該オーディオプレーヤー１１内の該複数のオーディオファイル及び該チャンネル周波数の変換信号に基づいて特定の周波数変調信号（ＦＭ１０８．７）を生成させ、またカーオーディオ機器１３で再生するため、該特定の周波数変調信号を無線方法でカーオーディオ機器１３の周波数変調受信機１３１へ送信する。
つまり該特定の周波数変調信号がカーオーディオ機器１３を通じて再生される。
利用者はオーディオプレーヤー１１において周波数変調のチャンネル周波数及びその内部に保存している複数のオーディオファイルを選択できるため、周波数変調のチャンネルを表示するための液晶表示部、周波数変調のチャンネルを調整するための複数ボタン及びオーディオファイルを保存するためのメモリの配置を必要としないため、生産コストを大幅削減できる。
またこのコンバーター１２はシガレットソケット或いは電池を介して給電させることができる。
【００１６】
オーディオプレーヤー１１について言うと、保存ユニット１１１及び処理ユニット１１２はその中に既存している重要な素子である。
本発明のオーディオプレーヤー１１と従来のオーディオプレーヤーの最も主に異なるところはソフトウェアにある。本発明のオーディオプレーヤー１１は該複数のオーディオファイルの再生リストを生成するための１組のプログラム（車載用モードのプログラム）を追加し、また周波数変調受信機１３１の周波数変調のチャンネル周波数に基づいてチャンネル周波数の変換信号を選択する。
別のハードウェアユニットを追加する必要がないため、オーディオプレーヤー１１の製造コストも増えない。
【００１７】
その他、ケーブル（図示せず）は、オーディオプレーヤー１１とコンバーター１２の間に接続でき、複数のオーディオファイル及びチャンネル周波数の変換信号をオーディオプレーヤー１１からコンバーター１２内へ送信することに用いられる。
また、複数のオーディオファイル及びチャンネル周波数の変換信号も無線方法（例えばブルートゥースまたは赤外線等）によりオーディオプレーヤー１１からコンバーター１２内へ送信できる。
更に、コンバーター１２は直接オーディオプレーヤー１１と接続でき、以って複数のオーディオファイル及びチャンネル周波数の変換信号を受信し、且つオーディオプレーヤー１１を介して給電させる。
【００１８】
カーオーディオ機器１３の周波数変調受信機１３１には、干渉のない周波数変調のチャンネル周波数をオートサーチするための空チャンネルのサーチユニットを含み、以って利用者の干渉のない周波数変調のチャンネル周波数をサーチする時間が節約できる。
【００１９】
該低生産コストのコンバーター１２及びコストが増えないオーディオプレーヤー１１を通じて、本発明のオーディオ再生システム１０も生産コストを削減する効果を実現させることができる。
【００２０】
図２乃至図３を参照にしながら説明する。図２は、本発明のオーディオプレーヤーの操作を示す図で、図３は本発明のオーディオプレーヤーの別の操作を示す図である。
図に示すように、オーディオプレーヤー１１が車載用モード（該組のプログラムを実行）に入ると、利用者はその表示部１１４において制御ボタン１１３を介して複数のオーディオファイル内の再生したいオーディオファイルを選択できる。
再生したいオーディオファイルが選択された後、利用者はオーディオプレーヤー１１の表示部１１４において周波数変調受信機１３１の周波数変調のチャンネル周波数に基づきチャンネル周波数の変換信号選択を行うことができる。
またチャンネル周波数の変換信号はオーディオプレーヤー１１にある制御ボタン１１３を介して調整できる。
その他、表示部１１４がタッチスクリーンの場合、オーディオプレーヤー１１にある制御ボタン１１３の配置を必要としない。
【００２１】
図４を参照にしながら説明する。図４は本発明のコンバーターのブロック図である。
図に示すように、コンバーター１２にはコントロールユニット１２１及び周波数変調送信機１２２を含む。
該コントロールユニット１２１はオーディオプレーヤー１１から複数のオーディオファイル及び該チャンネル周波数の変換信号を受信すると共に該特定の周波数変調信号を生成する。
該周波数変調送信機１２２は該特定の周波数変調信号を受信すると共に無線方法によりカーオーディオ機器１３へ送信する。
コントロールユニット１２１は複数のオーディオファイル及び該チャンネル周波数の変換信号を区分し、以って周波数変調送信機１２２の送信チャンネルを設定する。
コントロールユニット１２１及び周波数変調送信機１２２はいずれもシングルチップ或いはダブルチップに配置できる。
【００２２】
図５を参照にしながら説明する。図５は、本発明のオーディオ再生方法の再生フローチャートである。
図に示すように、本発明のオーディオ再生方法には、下記のステップが含まれ、つまりまず複数のオーディオファイルを保存できる保存ユニットを備えるオーディオプレーヤーを提供する（ステップＳ１０）。
周波数変調受信機を備えるカーオーディオ機器を提供する（ステップＳ１１）。
この場合、オーディオプレーヤーは該周波数変調受信機の１つの周波数変調のチャンネル周波数（利用者が選択）に基づいて１つのチャンネル周波数の変換信号を生成する（ステップＳ１２）。
同時に該オーディオプレーヤー内の該複数オーディオファイルと該周波数変調のチャンネル周波数に基づいて特定の周波数変調信号を生成させるコンバーターを提供する（ステップＳ１３）。
その後、該コンバーターが該特定の周波数変調信号を該カーオーディオ機器の該周波数変調受信機へ送信する（ステップＳ１４）。
最後に、該特定の周波数変調信号を該カーオーディオ機器により再生できる（ステップＳ１５）。
【００２３】
ステップＳ１３において、更に該オーディオプレーヤーとコンバーターの間に接続するケーブルを提供するステップを含み、ケーブルを通じて該複数のオーディオファイルと該チャンネル周波数の変換信号をオーディオプレーヤーからコンバーター内へ送信することに用いられる。
また、複数のオーディオファイル及びチャンネル周波数の変換信号も無線方法（例えば、ブルートゥース或いは赤外線等）によりオーディオプレーヤーからコンバーター内へ送信できる。
このほかに、本発明のオーディオ再生方法のステップにおいて、更に干渉のない周波数変調のチャンネル周波数をオートサーチするステップを含み、以って利用者の干渉のない周波数変調のチャンネル周波数をサーチする時間が節約できる。また該コンバーターはシガレットソケット或いは電池を介して給電させる。
【００２４】
図６を参照にしながら説明する。図６は本発明のオーディオ再生方法の別の再生フローチャートである。
図に示すように、図５のステップＳ１３において、更に該複数のオーディオファイルと該チャンネル周波数の変換信号を受信するステップ（ステップＳ１３１）及び該複数のオーディオファイルがコントロールパケットであるか否かを判断するステップ（ステップＳ１３２）を含む。
該複数のオーディオファイルがコントロールパケットでない場合、該複数のオーディオファイルフォーマットがコンバーターにとって認識できないことを示し、そのためコンバーターが該複数のオーディオファイルに基づいて該特定の周波数変調信号を生成できず、該複数のオーディオファイルがコントロールパケットとするまで、実行フローがステップＳ１３１に戻る。ステップＳ１３３において、該コンバーターが該チャンネル周波数の変換信号の分析と送信チャンネルを設定する。
最後、該コンバーターは該複数のオーディオファイル及び該分析されたチャンネル周波数の変換信号に基づき該特定の周波数変調信号を生成できる（ステップＳ１３４）。
【符号の説明】
【００２５】
１０・・・・・・オーディオ再生システム
１１・・・・・・オーディオプレーヤー
１１１・・・・・保存ユニット
１１２・・・・・処理ユニット
１１３・・・・・制御ボタン
１１４・・・・・表示部
１２・・・・・・コンバーター
１２１・・・・・コントロールユニット
１２２・・・・・周波数変調送信機
１３・・・・・・カーオーディオ機器
１３１・・・・・周波数変調受信機
Ｓ１０・・・・・複数のオーディオファイルを保存できる保存ユニットを備えるオーディオプレーヤーを提供するステップ
Ｓ１１・・・・・周波数変調受信機を備えるカーオーディオ機器を提供するステップ
Ｓ１２・・・・・該周波数変調受信機の１つの周波数変調のチャンネル周波数に基づいて１つのチャンネル周波数の変換信号を生成するステップ
Ｓ１３・・・・・該コンバーターは該オーディオプレーヤー内の該複数オーディオファイルと該周波数変調のチャンネル周波数に基づいて特定の周波数変調信号を生成させるステップ
Ｓ１３１・・・・該複数のオーディオファイルと該チャンネル周波数の変換信号を受信するステップ
Ｓ１３２・・・・該複数のオーディオファイルがコントロールパケットであるか否かを判断するステップ
Ｓ１３３・・・・該チャンネル周波数の変換信号の分析と該コンバーターの送信チャンネルを設定するステップ
Ｓ１３４・・・・該複数のオーディオファイル及び該分析されたチャンネル周波数の変換信号に基づき該特定の周波数変調信号を生成するステップ
Ｓ１４・・・・・該特定の周波数変調信号を該カーオーディオ機器の該周波数変調受信機へ送信するステップ
Ｓ１５・・・・・該特定の周波数変調信号を該カーオーディオ機器により再生するステップ
【図１】
2011095703.tif 000003
【図２】
2011095703.tif 000004
【図３】
2011095703.tif 000005
【図４】
2011095703.tif 000006
【図５】
2011095703.tif 000007
【図６】
2011095703.tif 000008